(57)【要約】      （修正有）【課題】ダンボールを構成する中芯と原紙との間の空洞部内に生物が入り込むことのない衛生的なダンボール部品並びにこのダンボール部品の製造方法を提供すること。【解決手段】平板状の原紙１に波板状の中芯２を付設した構造のダンボール板Ｄを切断して所定形状に成形し、この成形ダンボール板Ｄの、少なくとも前記中芯２が波形に露出している切断縁を潰し加工して、この切断縁から露出している中芯２と前記原紙１との間の空洞部を閉塞する。【選択図】図２
2007230063.tif 000002
【特許請求の範囲】
【請求項１】
平板状の原紙に波板状の中芯を付設した構造のダンボール板を切断して所定形状に成形し、この成形ダンボール板の、少なくとも前記中芯が波形に露出している切断縁を潰し加工して、この切断縁から露出している中芯と前記原紙との間の空洞部を閉塞することを特徴とするダンボール部品の製造方法。
【請求項２】
前記成形ダンボール板の前記切断縁をロールにより潰し加工することを特徴とする請求項１記載のダンボール部品の製造方法。
【請求項３】
前記成形ダンボール板は、前記切断縁がジグザグ形状をなすようにダンボール板を切断して所定形状に成形することを特徴とする請求項１，２のいずれか１項に記載のダンボール部品の製造方法。
【請求項４】
平板状の原紙に波板状の中芯を付設した構造のダンボール板を切断して所定形状に成形し、この成形ダンボール板の、少なくとも前記中芯が波形に露出している切断縁を圧潰して、この切断縁から露出している中芯と前記原紙との間の空洞部を閉塞した構成としたことを特徴とするダンボール部品。
【請求項５】
前記成形ダンボール板の前記切断縁をロールにより潰し加工したことを特徴とする請求項４記載のダンボール部品。
【請求項６】
前記成形ダンボール板は、前記切断縁がジグザグ形状をなすようにダンボール板を切断して所定形状に成形したことを特徴とする請求項４，５のいずれか１項に記載のダンボール部品。
【発明の詳細な説明】
【技術分野】
【０００１】
本発明は、ダンボール部品の製造方法並びにダンボール部品に関するものである。
【背景技術】
【０００２】
例えば、両面ダンボールと称されるダンボール板Ｄは、図１に示すように、波板状の中芯２の両側に平板状の原紙１を付設した構造となっており、このダンボール板Ｄを、用途に応じた形状（例えばダンボール箱の形状）に切断形成して使用する。
【発明の開示】
【発明が解決しようとする課題】
【０００３】
ところで、近年は切断技術が進歩したため、ダンボール板Ｄを所定形状に切断形成した際の切断縁は、潰れたり破れたりすることなく、非常にきれいな鋭い切り口に仕上がる。
【０００４】
してみると、ダンボール板Ｄは上記したような構造であって、この切断縁からは中芯２と前記原紙１との間の空洞部３がしっかりと露出した状態に仕上がるため、この空洞部３内に小さな虫などが入り込み易く、ダンボールの構造上空洞部３内は適度な温度が保たれるために生物がこの空洞部３内で繁殖してしまうことがある。
【０００５】
例えば、野菜などは、ダンボール箱に収納されて運搬・輸送されることが多く、飲食店などに搬入されても、使用するまでは調理場などにダンボール箱に入れたまま放置しておかれることが多いが、清潔さを保ちたい食材の入れ物であるこのダンボール箱の中（前記空洞部３内）がゴキブリの繁殖場所となってしまっている場合もあった。
【０００６】
運搬・輸送の際に用いられる食材の入れ物としてダンボールは既に広く定着しており、食材を不衛生な状況におくことは人体に悪影響を与える可能性があるため、この点は解決すべき非常に重要な課題である。
【０００７】
本発明は、このような従来のダンボール部品の問題点を見い出し、これを解決することのできるダンボール部品並びにこのダンボール部品の製造方法を提供するものである。
【課題を解決するための手段】
【０００８】
添付図面を参照して本発明の要旨を説明する。
【０００９】
平板状の原紙１に波板状の中芯２を付設した構造のダンボール板Ｄを切断して所定形状に成形し、この成形ダンボール板Ｄの、少なくとも前記中芯２が波形に露出している切断縁を潰し加工して、この切断縁から露出している中芯２と前記原紙１との間の空洞部３を閉塞することを特徴とするダンボール部品の製造方法に係るものである。
【００１０】
また、前記成形ダンボール板Ｄの前記切断縁をロールにより潰し加工することを特徴とする請求項１記載のダンボール部品の製造方法に係るものである。
【００１１】
また、前記成形ダンボール板Ｄは、前記切断縁がジグザグ形状をなすようにダンボール板Ｄを切断して所定形状に成形することを特徴とする請求項１，２のいずれか１項に記載のダンボール部品の製造方法に係るものである。
【００１２】
また、平板状の原紙１に波板状の中芯２を付設した構造のダンボール板Ｄを切断して所定形状に成形し、この成形ダンボール板Ｄの、少なくとも前記中芯２が波形に露出している切断縁を圧潰して、この切断縁から露出している中芯２と前記原紙１との間の空洞部３を閉塞した構成としたことを特徴とするダンボール部品に係るものである。
【００１３】
また、前記成形ダンボール板Ｄの前記切断縁をロールにより潰し加工したことを特徴とする請求項４記載のダンボール部品に係るものである。
【００１４】
また、前記成形ダンボール板Ｄは、前記切断縁がジグザグ形状をなすようにダンボール板Ｄを切断して所定形状に成形したことを特徴とする請求項４，５のいずれか１項に記載のダンボール部品に係るものである。
【発明の効果】
【００１５】
本発明は上述のように、切断成形したダンボール板の、少なくとも中芯が波形に露出している切断縁を潰し加工して、この切断縁から露出している中芯と原紙との間の空洞部を閉塞するから、この空洞部内に生物が入り込むことがなく、衛生的で、例えば食材搬送用のダンボール箱などを構成することにも最適なダンボール部品を製造あるいは提供できることになり、しかも、単に切断を終えた成形ダンボールのこの切断縁を潰し加工することで本発明は達成できるため、簡易に実現可能で量産性にも秀れるなど、極めて実用性に秀れた画期的なダンボール部品の製造方法並びにダンボール部品となる。
【００１６】
また、請求項２，５記載の発明においては、前記切断縁を容易に潰し加工することができる一層実用性に秀れた構成のダンボール部品の製造方法並びにダンボール部品となる。
【００１７】
また、請求項３，６記載の発明においては、鋭い切り口に仕上がる切断縁をジグザグ形状をなすように形成するから、このジグザグ形状の切断縁で手を切りにくくなる一層実用性に秀れた構成のダンボール部品の製造方法並びにダンボール部品となる。
【発明を実施するための最良の形態】
【００１８】
好適と考える本発明の実施形態（発明をどのように実施するか）を、図面に基づいて本発明の作用を示して簡単に説明する。
【００１９】
本発明は、平板状の原紙１に波板状の中芯２を付設した構造のダンボール板Ｄを切断して所定形状に成形し、この成形ダンボール板Ｄの、少なくとも前記中芯２が波形に露出している切断縁を潰し加工して、この切断縁から露出している中芯２と前記原紙１との間の空洞部３を閉塞する。
【００２０】
具体的には、例えば、成形ダンボール板Ｄの前記切断縁をロールにより潰し加工することとすれば、極めて容易に切断縁を潰し加工できる。
【００２１】
すると、この潰し縁部４には、前記空洞部３内に小さな虫などの生物が進入する隙間がなくなり、この空洞部３内で生物が繁殖することが防止される。
【００２２】
従って、衛生的なダンボール部品を構成・提供でき、例えば、本ダンボール部品で食材搬送用のダンボール箱Ｂを構成した場合には、このダンボール箱Ｂで食材を衛生的に搬送・保管できることとなる。
【００２３】
また、この種ダンボール板Ｄの切断縁は、［発明が解決しようとする課題］の項で述べたように、鋭い切り口の切断縁に仕上がるために、この切断縁は一般的に一直線状に形成されるが、この直線状の切断縁に触れた手が切れてしまう場合がある。
【００２４】
この点、例えば、成形ダンボール板Ｄは、前記切断縁がジグザグ形状をなすようにダンボール板Ｄを切断して所定形状に成形することとすれば、このジグザグ縁部５に手で触れても手が切れにくくなるので、一層実用的となる。
【実施例１】
【００２５】
本発明の具体的な実施例１について図１〜図３に基づいて説明する。
【００２６】
本実施例は、波板状の中芯２の両側に平板状の原紙１を付設した構造の両面ダンボール板Ｄに適用した場合を示している（図１参照。）。
【００２７】
このダンボール板Ｄを切断して用途に応じた所定形状に成形する。例えば、ダンボール箱の展開形状に成形することで、図３に示すようなダンボール箱Ｂに組み立てできる。
【００２８】
本実施例では、この成形ダンボール板Ｄの、前記中芯２が波形に露出している切断縁（図１に示した切断縁）を潰し加工して、図２に示すようにこの切断縁から露出している中芯２と前記原紙１との間の空洞部３を閉塞し、この空洞部３内へ小さな虫などが進入しないようにする。
【００２９】
具体的には、前記切断縁に沿ってロールを走らせて、この切断縁を含むダンボール板Ｄ周縁部の所定範囲を潰し変形させ、他の部位より薄厚な潰し縁部４を形成する。
【００３０】
この際、予め、切断縁付近の中芯２や原紙１に接着剤を塗布しておけば、潰し加工された潰し縁部４の形状復帰を阻止でき、空洞部３が閉塞されて薄厚となった形状を強固に保形できる。
【００３１】
尚、接着材などを使用して潰し縁部４を保形せずとも、潰し加工により空洞部３の開放部が潰れた状態となっておれば、生物の進入防止に十分な効果が発揮されることが出願人の試作実験により確認されている。
【実施例２】
【００３２】
本発明の具体的な実施例２について図４に基づいて説明する。
【００３３】
本実施例は、前記実施例１において、成形ダンボール板Ｄの切断縁の形状を異ならせた場合である。
【００３４】
具体的には、本実施例の成形ダンボール板Ｄは、前記切断縁がギザギザに屈曲したジグザグ形状をなすようにダンボール板Ｄを切断して所定形状に成形している。
【００３５】
そして、このジグザグ縁部５を潰し加工して、ジグザグ形状の潰し縁部４を形成している。
【００３６】
このジグザグ縁部５は、鋭い切り口で形成される切断縁で手を切ることを防止するためのもので、ジグザグのピッチを細かく設定することが好ましい。
【００３７】
尚、本発明は、実施例１，２に限られるものではなく、各構成要件の具体的構成は適宜設計し得るものである。
【００３８】
また、実施例１，２では、両面ダンボールに適用した場合を示したが、本発明を他の構成のダンボール（例えば、片面ダンボールや複両面ダンボールや複々両面ダンボールなど。）にも適用可能である。
【図面の簡単な説明】
【００３９】
【図１】実施例１の、潰し加工前の成形ダンボール板の切断縁（従来例の成形ダンボール板の切断縁）を示す拡大説明斜視図である。
【図２】実施例１の潰し縁部を示す拡大説明斜視図である。
【図３】実施例１の使用状態を示す斜視図である。
【図４】実施例２の潰し縁部（ジグザグ縁部）を示す拡大説明斜視図である。
【符号の説明】
【００４０】
１  原紙
２  中芯
３  空洞部
Ｄ  ダンボール板
【図１】
2007230063.tif 000003
【図２】
2007230063.tif 000004
【図３】
2007230063.tif 000005
【図４】
2007230063.tif 000006